(57)【要約】【課題】  オーディオ信号増幅機能付き装置３７において、メインアンプ５１は、ＡＢクラス増幅器としてのＡＭモードとＤクラス増幅器としての通常モードとへ切替自在になっている。従来装置では、ＡＭラジオ放送が選局されてスピーカ出力されているとき、出力中のノイズを抑制するため、メインアンプ５１はＡＭモードとなっていた。このようなオーディオ信号増幅機能付き装置３７において、出力中のノイズを抑制しつつ、ＡＭラジオ放送をメインアンプ５１の通常モードで増幅できるようにすることを目的とする。【解決手段】  ＦＭ／ＡＭチューナ４０は、選局中のＡＭラジオ放送局受信電波の受信レベルを測定するＳメータを内蔵する。選局中のＡＭラジオ放送局受信電波の受信レベルが所定値未満である場合は、メインアンプ５１はＡＭモードで作動する。これに対して、受信レベルが所定値以上である場合は、メインアンプ５１は通常モードで作動する。【選択図】      図３
2005080114.tif 000002
【特許請求の範囲】
【請求項１】
所定周波数帯域のオーディオ用受信電波に係る第１のソースと該第１のソースとは別の少なくとも１個の第２のソースとを含む複数個のソースから１個のソースを選択する入力選択手段、
オーディオ信号を増幅する第１クラス増幅器、
前記第１クラス増幅器より高い電力効率でオーディオ信号を増幅する第２クラス増幅器、
前記入力選択手段の選択したソースからのオーディオ信号を増幅する増幅器を前記第１クラス増幅器及び前記第２クラス増幅器から選択する増幅器選択手段、
第１のソースに係るオーディオ用受信電波の受信レベルを検出する受信レベル検出手段、及び
前記入力選択手段が第１のソースを選択している場合では、第１のソースに係るオーディオ用受信電波の受信レベルが所定レベルに対して下か上かによって前記増幅器選択手段がそれぞれ前記第１クラス増幅器及び前記第２クラス増幅器を選択するように、前記増幅器選択手段を制御する制御手段、
を有していることを特徴とするオーディオ信号増幅機能付き装置。
【請求項２】
前記制御手段は、前記入力選択手段が前記第２のソースを選択しているときは、前記増幅器選択手段に前記第２の増幅器を選択させることを特徴とする請求項１記載のオーディオ信号増幅機能付き装置。
【請求項３】
前記入力選択手段は、ユーザ操作用のソース選択器において選択されているソースを選択するものであり、
前記制御手段は、前記ソース選択器における選択ソースに変更があったとき、前記増幅選択手段による選択増幅器の変更が必要か否かを判断し、該判断に基づいて前記増幅器選択手段に選択増幅器の変更を指示するものであることを特徴とする請求項１又は２記載のオーディオ信号増幅機能付き装置。
【請求項４】
前記所定周波数帯域とは中波帯域であることを特徴とする請求項１〜３のいずれかに記載のオーディオ信号増幅機能付き装置。
【請求項５】
前記第１クラス増幅器はＡクラス又はＡＢクラス増幅器であり、前記第２クラス増幅器はＤクラス増幅器であることを特徴とする請求項１〜４のいずれかに記載のオーディオ信号増幅機能付き装置。
【請求項６】
所定周波数帯域のオーディオ用受信電波についてその受信レベルを検出し、
検出した受信レベルが所定の基準レベルに対して下であるときは、第１クラス増幅器によりオーディオ用受信電波に係るオーディオ信号を増幅し、
検出した受信レベルが前記所定の基準レベルに対して上であるときは、電力効率が前記第１クラス増幅器より高い第２クラス増幅器により前記オーディオ用受信電波に係るオーディオ信号を増幅する、
ことを特徴とするオーディオ放送受信機用増幅器制御方法。
【請求項７】
前記所定周波数帯域とは中波帯域であり、前記第１クラス増幅器はＡクラス又はＡＢクラス増幅器であり、前記第２クラス増幅器はＤクラス増幅器であることを特徴とする請求項７記載のオーディオ放送受信機用増幅器制御方法。
【発明の詳細な説明】
【技術分野】
【０００１】
本発明は、自動車等に搭載されるオーディオ信号増幅機能付き装置及びオーディオ放送受信機用増幅器制御方法に係り、詳しくは電力効率の異なる複数種の増幅器を使い分けてソースから出力を適切に増幅するオーディオ信号増幅機能付き装置及びオーディオ放送受信機用増幅器制御方法に関するものである。
【背景技術】
【０００２】
自動車に搭載される一般的なオーディオ信号増幅機能付き装置は、例えば、ＡＭラジオ、ＦＭラジオ、ＣＤプレーヤ、ＤＶＤプレーヤ、ＭＤ（ミニディスク）再生・記録装置を含んでいる。オーディオ信号増幅機能付き装置は、高電力効率のＤクラス（Ｄ級）増幅器を装備して、該増幅器によりＦＭラジオの復調信号、ＣＤ再生信号、ＤＶＤ再生信号、又はＭＤ再生信号を増幅して、スピーカから出力する。しかし、ＡＭラジオの復調信号については、それをＤクラス増幅器により増幅する場合には、Ｄクラス増幅器が、その作動に伴い、中波帯域の高周波信号を発生して、それがＡＭチューナ内に混入してしまうため、スピーカからの出力オーディオ中のノイズ（例：ビート音）が増大することになる。これを回避するために、従来のオーディオ信号増幅機能付き装置では、ＡＭチューナからの出力に限り、Ｄクラスより電力効率の劣るＡＢクラス（ＡＢ級）増幅器により増幅している。
【０００３】
一方、特許文献１は、多チャンネルオーディオにおいて、一般のチャンネル信号については第１クラス（例：ＡＢクラス）増幅器により増幅するのに対し、所定チャンネル信号（例：サブウーファ用チャンネル信号）のみは、電力効率が第１クラス増幅器より高い第２クラス（例えばＤクラス）増幅器を使って、増幅する増幅装置において、ソースとしてＡＭチューナを選択している場合には、該所定チャンネル信号を増幅する第２クラス増幅器の作動を停止させ、すなわち、サブウーファからのオーディオ出力は中止し、これにより、ＡＭソース信号を第２クラス増幅器により増幅することに伴うサブウーファからのノイズ出力を回避している。
【特許文献１】特開２００１−２３７６５９
【発明の開示】
【発明が解決しようとする課題】
【０００４】
従来のオーディオ信号増幅機能付き装置では、ＡＭラジオ放送の増幅については、高電力効率の増幅器の性能はまったく無駄になっている。
【０００５】
また、特許文献１の電力増幅装置は、所定チャンネル信号を増幅する第２クラス増幅器の作動を中止して、スピーカからのノイズ出力は回避できるものの、該所定チャンネル信号については、スピーカからのオーディオ出力がまったくなされず、スピーカ出力中止の状態になってしまう。
【０００６】
本発明の目的は、ユーザへのオーディオ出力を確保しつつ、高電力効率増幅器の作動に伴うノイズ増大を回避するとともに、さらに、高電力効率増幅器を十分に活用することのできるオーディオ信号増幅機能付き装置及びオーディオ放送受信機用増幅器制御方法を提供することである。
【課題を解決するための手段】
【０００７】
本発明のオーディオ信号増幅機能付き装置は次のものを有している。
所定周波数帯域のオーディオ用受信電波に係る第１のソースと該第１のソースとは別の少なくとも１個の第２のソースとを含む複数個のソースから１個のソースを選択する入力選択手段、
オーディオ信号を増幅する第１クラス増幅器、
第１クラス増幅器より高い電力効率でオーディオ信号を増幅する第２クラス増幅器、
入力選択手段の選択したソースからのオーディオ信号を増幅する増幅器を第１クラス増幅器及び第２クラス増幅器から選択する増幅器選択手段、
第１のソースに係るオーディオ用受信電波の受信レベルを検出する受信レベル検出手段、及び
入力選択手段が第１のソースを選択している場合では、第１のソースに係るオーディオ用受信電波の受信レベルが所定レベルに対して下か上かによって増幅器選択手段がそれぞれ第１クラス増幅器及び第２クラス増幅器を選択するように、増幅器選択手段を制御する制御手段。
【０００８】
本発明のオーディオ信号増幅機能付き装置には、さらに、次の各具体的態様を任意の組み合わせで付加することができる。
（ａ）制御手段は、入力選択手段が第２のソースを選択しているときは、増幅器選択手段に第２の増幅器を選択させる。
（ｂ）入力選択手段は、ユーザ操作用のソース選択器において選択されているソースを選択するものであり、制御手段は、ソース選択器における選択ソースに変更があったとき、増幅選択手段による選択増幅器の変更が必要か否かを判断し、該判断に基づいて増幅器選択手段に選択増幅器の変更を指示するものである。
（ｃ）所定周波数帯域とは中波（ＭＷ）帯域である。
（ｄ）第１クラス増幅器はＡクラス又はＡＢクラス増幅器であり、第２クラス増幅器はＤクラス増幅器である．
（ｅ）オーディオ信号増幅機能付き装置は自動車に搭載されるものである。
【０００９】
第２のソースとは、例えば、ＣＤ、ＤＶＤ若しくはＭＤの再生装置、又はＦＭチューナである。ＤＶＤの再生信号には、オーディオ信号の他に、映像信号も含まれるが、第１又は第２の増幅器が増幅するものはＤＶＤの再生信号の内、オーディオ信号である。ソースは、少なくともオーディオ信号を出力するソースであれば、オーディオ信号の他にビデオ信号も出力するソースであってもよい（例：ＤＶＤプレーヤ及びテレビチューナ）。本発明のオーディオ信号増幅機能付き装置は、自動車に装備されるものに限定されず、家庭等に置かれるものも含む。
【００１０】
本発明のオーディオ放送受信機用増幅器制御方法によれば、
所定周波数帯域のオーディオ用受信電波についてその受信レベルを検出し、
検出した受信レベルが所定の基準レベルに対して下であるときは、第１クラス増幅器によりオーディオ用受信電波に係るオーディオ信号を増幅し、
検出した受信レベルが所定の基準レベルに対して上であるときは、電力効率について第１クラス増幅器より第２クラスの第２クラス増幅器によりオーディオ用受信電波に係るオーディオ信号を増幅する。
【００１１】
本発明のオーディオ放送受信機用増幅器制御方法には、次の具体的態様を付加することができる。
所定周波数帯域とは中波帯域であり、第１クラス増幅器はＡクラス又はＡＢクラス増幅器であり、第２クラス増幅器はＤクラス増幅器である。
【発明の効果】
【００１２】
第１のソースに係るオーディオ用受信電波の受信レベルが大きい場合には、第１のソースからのオーディオ信号を第２クラス増幅器により増幅しても、第２クラス増幅器が発生するノイズのレベルは、第１のソースに係る受信電波のレベルよりも十分に低く、結果、第２クラス増幅器の出力中のノイズは、ユーザにとり不快感にならないものになる。
【００１３】
こうして、第１のソースを選択中、該第１のソースからのオーディオ信号を増幅器により増幅したオーディオ出力を確保しつつ、所定の条件下では、ノイズ増大に因る不快感をユーザに与えることなく、第１のソースからのオーディオ信号を、高電力効率の第２クラス増幅器を使って増幅することができる。
【発明を実施するための最良の形態】
【００１４】
図１はオーディオ信号増幅機能付き装置１０の機能ブロック図である。オーディオ信号増幅機能付き装置１０は、入力選択手段１３、第１クラス増幅器１５、第２クラス増幅器１６、受信レベル検出手段１８、制御手段１９、及び増幅器選択手段２０を有している。入力選択手段１３は、所定周波数帯域のオーディオ用受信電波に係る第１のソース１１と、該第１のソース１１以外のソースとしての少なくとも１個の第２のソース１２ａ，１２ｂ，・・・とを含む複数個のソースから１個のソースを選択する。第１クラス増幅器１５はオーディオ信号を増幅する。第２クラス増幅器１６は、第１クラス増幅器１５より高い電力効率でオーディオ信号を増幅する。増幅器選択手段２０は、入力選択手段１３の選択したソースからのオーディオ信号を増幅する増幅器を第１クラス増幅器１５及び第２クラス増幅器１６から選択する。受信レベル検出手段１８は、第１のソースに係るオーディオ用受信電波の受信レベル（受信レベルは受信電波の電界強度に対応する。）を検出する。制御手段１９は、入力選択手段１３が第１のソースを選択している場合では、第１のソースに係るオーディオ用受信電波の受信レベルが所定レベルに対して下か上かによって増幅器選択手段２０がそれぞれ第１クラス増幅器１５及び第２クラス増幅器１６を選択するように、増幅器選択手段２０を制御する。
【００１５】
オーディオ信号増幅機能付き装置１０は、例えば、自動車に搭載される。第１のソース１１は、例えば中波（ＭＷ）帯域のＡＭ放送電波を受信するＡＭチューナであり、ＡＭチューナからはＡＭラジオ受信電波の復調信号が出力される。第２のソース１２ａ，１２ｂ，・・・は、例えば、ＦＭチューナ、テーププレーヤ、ＣＤプレーヤ、ＤＶＤプレーヤ、及びＭＤプレーヤ等であり、これらソースからはオーディオ再生信号が出力される。例えば、第１クラス増幅器１５はＡＢクラス増幅器であり、第２クラス増幅器１６はＤクラス増幅器である。オーディオ出力手段１７は、例えばスピーカやヘッドホーンであり、第１クラス増幅器１５又は第２クラス増幅器１６からの入力電気信号をオーディオへ変換し、該オーディオを出力する。スピーカはディスプレイ装置に内蔵されているものであってもよい。ソース選択器２１はユーザにより操作され、ユーザは、希望のソースをソース選択器２１における操作を介してオーディオ信号増幅機能付き装置１０に指示する。ソース選択器２１は、例えばオーディオ信号増幅機能付き装置１０の前面に配備されている操作キーや、リモコン式ハンディ操作器である。入力選択手段１３は、ソース選択器２１におけるユーザ選択に基づいて該ユーザ選択に対応する１個のソースを選択する。
【００１６】
入力選択手段１３が第２のソース１２ａ，１２ｂ，・・・のいずれかを選択している場合には、増幅器選択手段２０は、入力選択手段１３からのオーディオ信号を第２クラス増幅器１６に増幅させて、オーディオ出力手段１７へ出力する。第２のソース１２ａ，１２ｂ，・・・から選択された１個のソースからのオーディオ信号は、電力効率の高い第２クラス増幅器１６により増幅されても、第２クラス増幅器１６の発生する高周波数ノイズは第２のソースにはなんらの影響を与えないので、オーディオ出力手段１７からは、第２のソースからのオーディオ信号を高電力効率の第２クラス増幅器１６により増幅した電気信号に係るオーディオが良好に出力される。
【００１７】
入力選択手段１３が第１のソースを選択している場合には、さらに次の（ａ）及び（ｂ）の場合に分けられる。
（ａ）第１のソースに係る放送電波の受信レベルが所定値未満であるとき。
（ｂ）第１のソースに係る放送電波の受信レベルが所定値以上であるとき。
【００１８】
もし、（ａ）の場合に、第１のソースからのオーディオ信号を第２クラス増幅器１６により増幅するならば、第２クラス増幅器１６は、その増幅作動によって、ＡＭラジオ電波と周波数帯を同じくする、すなわち中波帯域の高周波信号を発生し、この高周波信号がチューナ１４に入力され、結果、チューナ１４の出力のＳ／Ｎ比は悪化する。これに対して、第１クラス増幅器１５は、電力効率は第２クラス増幅器１６より劣るものの、増幅作動において中波帯域の高周波信号を発生することは無く、第１のソースに係る放送の受信レベルが低くても、チューナ１４の出力のＳ／Ｎ比を悪化させることはない。したがって、（ａ）の場合には、第１のソースからのオーディオ信号は第１クラス増幅器１５により増幅され、第１クラス増幅器１５の出力がオーディオ出力手段１７へ送られる。
【００１９】
（ｂ）の場合には、第２のソースからのオーディオ信号を増幅する場合と同様に、第１のソース１１の出力は、第２クラス増幅器１６により増幅する。なぜならば、第２クラス増幅器１６の作動により中波帯域帯域の高周波信号が発生して、それがチューナ１４内にノイズとして混入しても、チューナ１４において、第１のソースに係る放送電波は十分大きなレベルをもち、第２クラス増幅器１６の作動に伴うチューナ１４へのノイズ混入にもかからず、チューナ１４の出力のＳ／Ｎ比は十分に大きく維持されるからである。こうして、第１のソースからのオーディオ信号は高電力効率の第２クラス増幅器１６により増幅され、第２クラス増幅器１６の出力がオーディオ出力手段１７へ送られる。
【００２０】
オーディオ信号増幅機能付き装置１０についてさらに具体的に説明する。入力選択手段１３は、ユーザ操作用のソース選択器２１において選択されているソースを選択するものである。制御手段１９は、前記ソース選択器２１における選択ソースに変更があったとき、前記増幅選択手段２０による選択増幅器の変更が必要か否かを判断し、該判断に基づいて前記増幅器選択手段２０に選択増幅器の変更を指示するものである。こうして、増幅選択手段２０による選択増幅器の変更は、ユーザがソース選択器２１を操作して、選択ソースを変更したときのみ、行われるようにされる。
【００２１】
図２はオーディオ放送受信機用増幅器制御方法のフローチャートである。Ｓ２６では、所定周波数帯域のオーディオ用受信電波についてその受信レベルＦを検出する。Ｓ２７では、Ｓ２６において検出した受信レベルＦと基準値Ｆｒとを対比する。そして、Ｆ＜Ｆｒであるときは、Ｓ２８へ進み、Ｆ≧Ｆｒであるときは、Ｓ２９へ進む。Ｓ２８では、第１クラス増幅器１５により第１のソースからのオーディオ信号を増幅する。Ｓ２９では、電力効率が第１クラス増幅器１５より高い第２クラス増幅器１６により第１のソースからのオーディオ信号を増幅する。
【００２２】
なお、図２のＳ２７の判定では、Ｆ＝Ｆｒのとき、Ｓ２９へ進むことになっているが、Ｓ２９ではなく、Ｓ２８へ進むようにしてもよい。図２のオーディオ放送受信機用増幅器制御方法のさらなる具体化は次のとおりである。図２のオーディオ放送受信機用増幅器制御方法は、次の各具体例を任意の組み合わせで追加可能となっている。
・所定周波数帯域とは中波帯域である。
・第１クラス増幅器はＡクラス又はＡＢクラス増幅器である。
・第２クラス増幅器はＤクラス増幅器である。
【実施例１】
【００２３】
図３は本発明に係るオーディオ信号増幅機能付き装置３７の実施例１の構成図である。オーディオ信号増幅機能付き装置３７は自動車に搭載される。ＦＭ／ＡＭチューナ４０は、アンテナ４１を介して複数個のラジオ放送局からのラジオ放送電波を受信自在になっており、オーディオ信号増幅機能付き装置３７のユーザが指定したラジオ放送局の受信電波を復調して、出力する。ＣＤ／ＤＶＤプレーヤ４２は、ＣＤ又はＤＶＤを再生し、再生信号を出力する。ＭＤ録再器４３は、ＭＤを再生し、再生信号を出力する。外部入力用補助端子４４は、ユーザによりケーブルを任意に接続され、該ケーブルを介して送られて来る外部のオーディオ信号をセレクタ４９へ出力する。セレクタ４９は、マイクロコンピュータ４８から制御信号に基づきＦＭ／ＡＭチューナ４０、ＣＤ／ＤＶＤプレーヤ４２、ＭＤ録再器４３、及び外部入力用補助端子４４の出力のいずれか１個を選択し、それをプリアンプ５０へ送る。マイクロコンピュータ４８は、ＦＭ／ＡＭチューナ４０の受信バンドをＡＭにするかＦＭにするか、及び各バンドにおいてどのラジオ放送を選局するかをＦＭ／ＡＭチューナ４０に指示する。ＦＭ／ＡＭチューナ４０は、選局ＡＭラジオ放送局の受信電波のレベルを測定するＳメータを内蔵している。メインアンプ５１は、通常モードとＡＭモードとを有し、通常モードではＤクラス増幅器として作動し、ＡＭモードでは、ＡＢクラス増幅器として作動する。メインアンプ５１は、プリアンプ５０からの入力信号を通常モードかＡＭモードかのどちらかで増幅し、スピーカ（図示せず）へ送る。マイクロコンピュータ４８は、メインアンプ５１に通常モードかＡＭモードかの制御信号を出力する。
【００２４】
実施例１の作用について説明する。マイクロコンピュータ４８がセレクタ４９にＣＤ／ＤＶＤプレーヤ４２、ＭＤ録再器４３、若しくは外部入力用補助端子４４の出力を選択するよう、指示している場合、又はマイクロコンピュータ４８がセレクタ４９にＦＭ／ＡＭチューナ４０の出力を選択するよう、指示し、かつマイクロコンピュータ４８がＦＭ／ＡＭチューナ４０にＦＭバンドの受信を指示している場合、メインアンプ５１は通常モード、すなわちＤクラス増幅器で作動する。また、マイクロコンピュータ４８がセレクタ４９にＦＭ／ＡＭチューナ４０の出力を選択するよう、指示し、マイクロコンピュータ４８がＦＭ／ＡＭチューナ４０にＡＭバンドのＡＭラジオ放送の選局を指示し、かつ該選局ＡＭラジオ放送局受信電波の受信レベルＦが所定レベルＦｒ以上である場合も、メインアンプ５１は通常モード、すなわちＤクラス増幅器で作動する。これに対して、マイクロコンピュータ４８がセレクタ４９にＦＭ／ＡＭチューナ４０の出力を選択するよう、指示し、マイクロコンピュータ４８がＦＭ／ＡＭチューナ４０にＡＭバンドのＡＭラジオ放送の選局を指示し、かつ該選局ＡＭラジオ放送局受信電波の受信レベルＦが所定レベルＦｒ未満である場合、メインアンプ５１はＡＭモード、すなわちＡＢクラス増幅器で作動する。
【実施例２】
【００２５】
図４はオーディオ信号増幅機能付き装置３７の実施例２の構成図である。実施例１との相違点についてのみ説明する。セレクタ５６は、マイクロコンピュータ４８からのバンド選択用制御信号に基づきＦＭ／ＡＭチューナ４０のＳメータからの出力又は定電圧端子５５を選択して、レベル変更器５７へ送る。マイクロコンピュータ４８は、ＦＭ／ＡＭチューナ４０にＡＭバンドを選択させている場合、セレクタ５６にＦＭ／ＡＭチューナ４０のＳメータからの出力を選択させ、その他の場合には、セレクタ５６に定電圧端子５５を選択させる。定電圧端子５５の電圧レベルは、Ｓメータからの電圧レベルに比して十分に高い一定電圧に維持されている。レベル変更器５７は、レベル変更器５７への入力電圧のレベルを、比較器５８に適合したレベルへ変更する。比較器５８は、レベル変更器５７からの入力レベルが所定値以上である場合と、該所定値未満である場合とを区別し、前者の場合には、メインアンプ５１の通常モード用出力を論理インターフェース５９へ出力し、後者の場合には、メインアンプ５１のＡＭモード用出力を論理インターフェース５９へ出力する。論理インターフェース５９は、比較器５８からの入力を、メインアンプ５１の制御用信号に変更して、メインアンプ５１へ出力する。
【００２６】
実施例２の作用について説明する。マイクロコンピュータ４８がセレクタ４９にＣＤ／ＤＶＤプレーヤ４２、ＭＤ録再器４３、若しくは外部入力用補助端子４４の出力を選択するよう、指示している場合、又はマイクロコンピュータ４８がセレクタ４９にＦＭ／ＡＭチューナ４０の出力を選択するよう、指示し、かつマイクロコンピュータ４８がＦＭ／ＡＭチューナ４０にＦＭバンドの受信を指示している場合、マイクロコンピュータ４８は、セレクタ５６に、定電圧端子５５からの出力を選択するように指示する。これにより、比較器５８はメインアンプ５１の通常モード用出力を論理インターフェース５９へ送るので、メインアンプ５１は、通常モード、すなわちＤクラス増幅器で作動する。また、マイクロコンピュータ４８がセレクタ４９にＦＭ／ＡＭチューナ４０の出力を選択するよう、指示し、マイクロコンピュータ４８がＦＭ／ＡＭチューナ４０にＡＭバンドのＡＭラジオ放送の選局を指示している場合、セレクタ５６は、定電圧端子５５からの出力に代えて、ＦＭ／ＡＭチューナ４０のＳメータの出力を選択する。そして、ＦＭ／ＡＭチューナ４０における選局ＡＭラジオ放送局受信電波の受信レベルＦが所定レベルＦｒ以上であるときは、レベル変更器５７から比較器５８へ送られる電圧レベルは所定の基準値以上となっているので、比較器５８はメインアンプ５１の通常モード用出力を論理インターフェース５９へ送ることになり、メインアンプ５１は、通常モード、すなわちＤクラス増幅器で作動する。これに対して、ＦＭ／ＡＭチューナ４０における選局ＡＭラジオ放送局受信電波の受信レベルＦが所定レベルＦｒ未満であるときは、レベル変更器５７から比較器５８へ送られる電圧レベルは所定の基準値未満であるので、比較器５８はメインアンプ５１のＡＭ用出力を論理インターフェース５９へ送ることになり、メインアンプ５１は、ＡＭモード、すなわちＡＢクラス増幅器で作動する。
【実施例３】
【００２７】
図５はオーディオ信号増幅機能付き装置３７の実施例３の構成図である。実施例１との相違点についてのみ説明する。実施例３では、実施例１におけるメインアンプ５１がＡＢクラス用メインアンプ６４とＤクラス用メインアンプ６５とに分離している。ＡＢクラス用メインアンプ６４はメインアンプ５１のＡＭモードに対応し、Ｄクラス用メインアンプ６５はメインアンプ５１の通常モードに対応している。入力側セレクタ６７及び出力側セレクタ６８は、マイクロコンピュータ４８からの共通の制御信号により切替えられ、入力側セレクタ６７は、プリアンプ５０の出力をＡＢクラス用メインアンプ６４及びＤクラス用メインアンプ６５のいずれへ送るかを決め、出力側セレクタ６８は、ＡＢクラス用メインアンプ６４及びＤクラス用メインアンプ６５の出力のどちらをスピーカ側へ送るかを決める。入力側セレクタ６７がＡＢクラス用メインアンプ６４及びＤクラス用メインアンプ６５をそれぞれを選択しているときは、出力側セレクタ６８もＡＢクラス用メインアンプ６４及びＤクラス用メインアンプ６５をそれぞれ選択するようになっている。
【００２８】
実施例３の作用について説明する。マイクロコンピュータ４８がセレクタ４９にＣＤ／ＤＶＤプレーヤ４２、ＭＤ録再器４３、若しくは外部入力用補助端子４４の出力を選択するよう、指示している場合、又はマイクロコンピュータ４８がセレクタ４９にＦＭ／ＡＭチューナ４０の出力を選択するよう、指示し、かつマイクロコンピュータ４８がＦＭ／ＡＭチューナ４０にＦＭバンドの受信を指示している場合、マイクロコンピュータ４８は、入力側セレクタ６７及び出力側セレクタ６８に、Ｄクラス用メインアンプ６５を選択するように指示する。これにより、セレクタ４９の出力は、プリアンプ５０及びＤクラス用メインアンプ６５により増幅されて、スピーカから出力される。また、マイクロコンピュータ４８がセレクタ４９にＦＭ／ＡＭチューナ４０の出力を選択するよう、指示し、マイクロコンピュータ４８がＦＭ／ＡＭチューナ４０にＡＭバンドのＡＭラジオ放送の選局を指示し、かつ該選局ＡＭラジオ放送局受信電波の受信レベルＦが所定レベルＦｒ以上である場合も、マイクロコンピュータ４８は、入力側セレクタ６７及び出力側セレクタ６８に、Ｄクラス用メインアンプ６５を選択するように指示する。これにより、セレクタ４９の出力は、プリアンプ５０及びＤクラス用メインアンプ６５により増幅されて、スピーカから出力される。これに対して、マイクロコンピュータ４８がセレクタ４９にＦＭ／ＡＭチューナ４０の出力を選択するよう、指示し、マイクロコンピュータ４８がＦＭ／ＡＭチューナ４０にＡＭバンドのＡＭラジオ放送の選局を指示し、かつ該選局ＡＭラジオ放送局受信電波の受信レベルＦが所定レベルＦｒ未満である場合、マイクロコンピュータ４８は、入力側セレクタ６７及び出力側セレクタ６８に、ＡＢクラス用メインアンプ６４を選択するように指示する。これにより、セレクタ４９の出力は、プリアンプ５０及びＡＢクラス用メインアンプ６４により増幅されて、スピーカから出力される。
【実施例４】
【００２９】
図６は実施例４に係るフローチャートである。該フローチャートに係る方法は図３のオーディオ信号増幅機能付き装置３７において実施される。Ｓ７４では、ユーザがオーディオ信号増幅機能付き装置３７のオーディオ出力切替操作、例えばＣＤの再生からＡＭラジオ放送出力への切替操作を行ったか否かを判定する。もし判定が”正”であれば、Ｓ７５へ進み、”否”であれば、該フローチャートに係る方法を終了する。Ｓ７５では、ミュートを実行する。結果、スピーカから一切のオーディオ出力は、後述のＳ８９まで、一時中断される。Ｓ７６では、Ｓ７４における切替先としてＡＭラジオ放送が選択されたか否かを判定し、該判定が”正”であれば、Ｓ８２へ進み、”否”であれば、Ｓ７８へ進む。Ｓ７８では、メインアンプ５１（図３）の作動モードはＡＭモードになっているか否かを判定し、該判定が”正”であれば、Ｓ７９へ進み、”否”であれば、Ｓ８８へ進む。Ｓ７９では、メインアンプ５１の作動モードをＤクラスモード（通常モード）へ切替える。これにより、ＡＭラジオ放送以外のソースからのオーディオ信号は、Ｄクラス増幅器により増幅されて、スピーカから出力される。Ｓ８２では、Ｓメータの電圧出力Ｓを検出する。Ｓ８３では、出力Ｓと所定の基準値Ｓｒとを対比する。なお、Ｓ，Ｓｒは、前述のＦ，Ｆｒに対応する。Ｓ３８において、Ｓ＜Ｓｒのときは、Ｓ８４へ進み、Ｓ≧Ｓｒのときは、Ｓ８８へ進む。なお、Ｓ８３において、Ｓ≧Ｓｒのとき、Ｓ８８ではなく、Ｓ７８又はＳ７９へ進むようになっていてもよい。Ｓ８４では、メインアンプ５１をＡＢクラスモード（ＡＭモード）へ切替える。Ｓ８８では、セレクタ４９を切替えて、セレクタ４９において選択するソースを、ユーザが今回、ソースとして選択したソースへ切替える。Ｓ８９では、ミュートを解除する。
【図面の簡単な説明】
【００３０】
【図１】オーディオ信号増幅機能付き装置の機能ブロック図である。
【図２】オーディオ放送受信機用増幅器制御方法のフローチャートである。
【図３】本発明の実施例１の構成図である。
【図４】本発明の実施例２の構成図である。
【図５】本発明の実施例３の構成図である。
【図６】本発明の実施例４のフローチャートである。
【符号の説明】
【００３１】
１０：オーディオ信号増幅機能付き装置、１３：入力選択手段、１５：第１クラス増幅器、１６：第２クラス増幅器、１７：オーディオ出力手段、１８：受信レベル検出手段、１９：制御手段、２０：増幅器選択手段２０、２１：ソース選択器。
【図１】
2005080114.tif 000003
【図２】
2005080114.tif 000004
【図３】
2005080114.tif 000005
【図４】
2005080114.tif 000006
【図５】
2005080114.tif 000007
【図６】
2005080114.tif 000008